(57)【特許請求の範囲】
【請求項１】
記録媒体カートリッジを保持するホルダ部材であって、記録媒体カートリッジの厚み方向に平行な第２の方向に移動可能に設けられた主ホルダと、上記主ホルダに対して記録媒体カートリッジの主面に平行な第１の方向に移動可能に設けられた副ホルダとを有するホルダ部材と、
互いに平行にスライド移動可能に配設されて、上記ホルダ部材に対する記録媒体カートリッジの挿脱を可能とする挿脱位置と、記録媒体カートリッジに対する情報の記録及び／又は再生を可能とする装着位置とに上記ホルダ部材を移動させる一対のスライド部材と、
回動レバーを介して上記副ホルダを上記第１の方向に移動させて記録媒体カートリッジを装置内方に引き込む第１の連動用スライド部材と、
上記一対のスライド部材を互いに逆方向にそれぞれ移動させて記録媒体カートリッジを上記第２の方向に昇降させて記録媒体カートリッジを装着位置に移動させる第２の連動用スライド部材と、
回動軸を一致させて積み重ねて設けられた複数のギヤ部を有し、上記第１及び第２の連動用スライド部材をそれぞれ移動するギヤ部材と、
上記ギヤ部材を回動可能に支持する回動支軸とを備え、
上記第１及び第２の連動用スライド部材には、上記ギヤ部材に噛合するラック部がそれぞれ形成されて、
上記ギヤ部材は、回転駆動力が伝達される第１のギヤ部と、一方の連動用スライド部材を移動するための第２のギヤ部と、他方の連動用スライド部材を移動するための第３のギヤ部とを有し、
上記第２及び第３のギヤ部には、外周部に、上記第１及び第２の連動用スライド部材のラック部が噛合する噛合部と、上記第１及び第２の連動用スライド部材のラック部が摺接する摺接部とがそれぞれ形成されたことを特徴とするローディング装置。
【発明の詳細な説明】
【０００１】
【発明の属する技術分野】
本発明は、挿入された記録媒体カートリッジを、記録媒体カートリッジが挿脱される挿脱位置と、記録媒体カートリッジに対して情報の記録及び／又は再生を行う装着位置との間を移送するためのローディング装置に関する。
【０００２】
【従来の技術】
記録媒体カートリッジとして、例えば光ディスクを有するディスクカートリッジが知られている。この種のディスクカートリッジは、光ディスク装置に装着されることにより情報の再生が行われる。
【０００３】
光ディスク装置は、ディスクカートリッジ内の光ディスクに対して情報の再生を行うための光ピックアップと、この光ピックアップを支持するスライドベースと、このスライドベースを光ディスクの径方向に移動するベース送り機構とを有する記録再生機構部を備えている。
【０００４】
また、光ディスク装置は、装置本体に対してディスクカートリッジが挿入された際に、ディスクカートリッジが挿脱されるカートリッジ挿脱位置と、ディスクカートリッジに対して情報の再生を行うことを可能とする所定のカートリッジ装着位置との間を、ディスクカートリッジを移送するためのローディング機構部を備えている。
【０００５】
従来の光ディスク装置が備えるローディング機構部は、ディスクカートリッジを保持するカートリッジホルダと、このカートリッジホルダをディスクカートリッジを挿脱可能するカートリッジ挿脱位置とディスクカートリッジに対する情報の再生を可能とするカートリッジ装着位置との間を移動可能に支持するホルダ昇降用スライダと、このホルダ昇降用スライダを移動操作するための駆動手段とを備えている。
【０００６】
以上のように構成された光ディスク装置は、カートリッジホルダにディスクカートリッジが挿入されて、ローディング機構部によりカートリッジホルダがカートリッジ装着位置に移動されて、カートリッジホルダに保持されたディスクカートリッジがカートリッジ装着位置に装着される。
【０００７】
そして、光ディスク装置は、カートリッジ装着位置に装着されたディスクカートリッジ内の光ディスクの径方向に光ピックアップが移動されて、光ディスクの信号記録領域の任意の記録トラックに対して情報の再生を行う。
【０００８】
【発明が解決しようとする課題】
ところで、一般車輌に配設される車載型の光磁気ディスク装置は、車内のパネル内の所定の位置に取り付けるために、ＤＩＮ(Deutsche Industrie Normen) ドイツ工業規格によって外形の各種寸法がそれぞれ規定されている。このため、特に車載型の光磁気ディスク装置は、装置全体を小型化する必要がある。
【０００９】
一方、上述したような従来のローディング機構部は、カートリッジホルダをディスクカートリッジをカートリッジ挿脱位置とカートリッジ装着位置とにそれぞれ移動するローディング動作及びアンローディング動作の一連動作を行うために回動レバーを用いた機構がある。
【００１０】
このような従来のローディング機構は、回動レバーやこの回動レバーを付勢するコイルバネ等の構成部品数が比較的多く、構成が複雑であり、動作信頼性が乏しいという問題があった。
【００１１】
そして、従来のローディング機構は、回動レバーを有することによって、回動レバーの回動半径を確保する必要があり、機構全体の小型化が困難であった。
【００１２】
また、従来のローディング機構部は、３動作以上の関連動作を行うことが困難であるという問題もあった。
【００１３】
そこで、本発明は、装置全体を小型化するととも動作信頼性を向上することができるローディング装置を提供することを目的とする。
【００１４】
【課題を解決するための手段】
上述した目的を達成するため、本発明に係るローディング装置は、記録媒体カートリッジを保持するホルダ部材であって、記録媒体カートリッジの厚み方向に平行な第２の方向に移動可能に設けられた主ホルダと、上記主ホルダに対して記録媒体カートリッジの主面に平行な第１の方向に移動可能に設けられた副ホルダとを有するホルダ部材と、互いに平行にスライド移動可能に配設されてホルダ部材に対する記録媒体カートリッジの挿脱を可能とする挿脱位置と、記録媒体カートリッジに対する情報の記録及び／又は再生を可能とする装着位置とにホルダ部材を移動させる一対のスライド部材と、回動レバーを介して上記副ホルダを上記第１の方向に移動させて記録媒体カートリッジを装置内方に引き込む第１の連動用スライド部材と、上記一対のスライド部材を互いに逆方向にそれぞれ移動させて記録媒体カートリッジを上記第２の方向に昇降させて記録媒体カートリッジを装着位置に移動させる第２の連動用スライド部材と、回動軸を一致させて積み重ねて設けられた複数のギヤ部を有し第１及び第２の連動用スライド部材をそれぞれ移動するギヤ部材と、このギヤ部材を回動可能に支持する回動支軸とを備える。第１及び第２の連動用スライド部材には、上記ギヤ部材に噛合するラック部がそれぞれ形成される。また、ギヤ部材は、回転駆動力が伝達される第１のギヤ部と、一方の連動用スライド部材を移動するための第２のギヤ部と、他方の連動用スライド部材を移動するための第３のギヤ部とを有する。そして、ギヤ部材の第２及び第３のギヤ部には、外周部に、第１及び第２の連動用スライド部材のラック部が噛合する噛合部と、第１及び第２の連動用スライド部材のラック部が摺接する摺接部とがそれぞれ形成される。
【００１５】
以上のように構成したローディング装置は、ギヤ部材の第１のギヤ部に回転駆動力が伝達されることによりギヤ部材が回転されて、ギヤ部材の第２のギヤ部の噛合部が一方の連動用スライド部材のラック部に噛合されて、一方の連動用スライド部材を移動する。また、ローディング装置は、ギヤ部材が回転されることにより、ギヤ部材の第３のギヤ部の噛合部に他方の連動用スライド部材のラック部が噛合されて、他方の連動用スライド部材を移動する。
【００１６】
ローディング装置は、第１及び第２の連動用スライド部材がそれぞれ移動されることによって、一対のスライド部材がそれぞれ移動されて、ホルダ部材が挿脱位置と装着位置とに移動される。
【００１７】
そして、ギヤ部材によれば、第２のギヤ部の噛合部が一方の連動用スライド部材のラック部に噛合されている状態で、第３のギヤ部の摺接部に他方の連動用スライド部材のラック部が摺接されて、他方の連動用スライド部材が移動されることなく、一方の連動用スライド部材のみが移動される。また同様に、このギヤ部材によれば、第３のギヤ部噛合部が他方の連動用スライド部材のラック部に噛合されている状態で、第２のギヤ部の摺接部に一方の連動用スライド部材のラック部が摺接されて、一方の連動用スライド部材が移動されることなく、他方のスライド部材のみが移動される。
【００１８】
したがって、このローディング装置は、ギヤ部材の第２のギヤ部及び第３のギヤ部が、第１及び第２の連動用スライド部材の各ラック部に間欠的に噛合状態及び摺接状態にそれぞれ切り替わるため、第１及び第２の連動用スライド部材が順番に移動される。
【００１９】
【発明の実施の形態】
以下、本発明の具体的な実施形態について、ディスクカートリッジに対して情報の記録再生を行う光磁気ディスク装置が備えるローディング機構部を図面を参照して説明する。なお、本発明に係る光磁気ディスク装置は、一般車輌の室内に配設される車載型の光磁気ディスク装置として適用される。
【００２０】
まず、本発明に係る光磁気ディスク装置によって記録再生が行われるディスクカートリッジについて簡単に説明する。図１に示すように、ディスクカートリッジ２は、一対の上下ハーフを組み合わせて構成されるカートリッジ本体と、このカートリッジ本体の内部に収納される光磁気ディスクとを備えている。カートリッジ本体には、内部に収納された光磁気ディスクの記録領域を外部に臨ませるための記録再生用開口部が互いに対向する位置にそれぞれ形成されている。この記録再生用開口部には、シャッタ部材が開閉可能に設けられている。このディスクカートリッジ２は、光磁気ディスク装置内に装着された際に、シャッタ部材が開放操作されて、記録再生用開口部から光磁気ディスクの信号記録領域に対して情報信号の記録再生が行われる。
【００２１】
光磁気ディスク装置は、図１に示すように、ディスクカートリッジ２を装置内に対して移送するためのローディング機構部１と、このローディング機構部１を介して装着されたディスクカートリッジ２に対して情報信号の記録再生を行う図示しない記録再生機構部とを備えている。
【００２２】
図１及び図２に示すように、ローディング機構部１は、光磁気ディスク装置に対して挿入されたディスクカートリッジ２を保持するメインホルダ１１と、このメインホルダ１１に図１中矢印ａ方向及びｂ方向に移動可能に設けられてディスクカートリッジ２を保持するサブホルダ１２と、これらメインホルダ１１及びサブホルダ１２に対してディスクカートリッジ２を挿脱可能とするカートリッジ挿脱位置及びディスクカートリッジ２に対する情報の記録再生を可能とするカートリッジ装着位置との間を移動可能にメインホルダ１１を支持する一対のホルダ昇降用右スライダ１３及びホルダ昇降用左スライダ１４とを備えている。
【００２３】
また、ローディング機構部１は、図１及び図３に示すように、一対のホルダ昇降用右スライダ１３及びホルダ昇降用左スライダ１４を連動させる第１の連動用スライダ１６及び第２の連動用スライダ１７と、ホルダ昇降用右スライダ１３と第２の連動用スライダ１７を連結する右連結部材１８と、ホルダ昇降用左スライダ１４と第２の連動用スライダ１７を連結する左連結部材１９と、ホルダ昇降用右スライダ１３及びホルダ昇降用左スライダ１４を駆動する駆動機構２５とを備えている。
【００２４】
また、ローディング機構部１は、図１及び図２に示すように、ホルダ昇降用右スライダ１３及びホルダ昇降用左スライダ１４、第１及び第２の連動用スライダ１７及び駆動機構２５をそれぞれ支持するベースシャーシ２１と、このベースシャーシ２１に対向する位置に設けられてメインホルダ１１及びサブホルダ１２を支持するトップシャーシ２２とを備えている。
【００２５】
また、ローディング機構部１は、図１に示すように、メインホルダ１１に対してディスクカートリッジ２が挿入された際にこのディスクカートリッジ２を装置内に引き込むための自動引き込み機構２６を備えている。
【００２６】
ローディング機構部１が備えるメインホルダ１１は、図２に示すように、ディスクカートリッジ２の挿脱方向に平行な両側面側をそれぞれ保持する保持片３０，３０が、光磁気ディスク装置に対するディスクカートリッジ２の挿入方向の後端側に位置してそれぞれ形成されている。
【００２７】
メインホルダ１１には、ディスクカートリッジ２の挿脱方向な平行な側面に対向する両側面に、ホルダ昇降用右スライダ１３及びホルダ昇降用左スライダ１４に移動可能に支持されるガイド軸３１がそれぞれ設けられている。メインホルダ１１の主面には、サブホルダ１２を移動可能とするためのガイドスリット３３，３４が、ディスクカートリッジ２の挿脱方向と平行にそれぞれ形成されている。
【００２８】
サブホルダ１２は、図１及び図２に示すように、ディスクカートリッジ２の挿脱方向の前面に当接する当接片３５，３５を有しており、メインホルダ１１の主面上に重なって配設されている。サブホルダ１２は、主面に、メインホルダ１１の各ガイドスリット３３，３４に挿通されるガイド軸３６，３７がそれぞれ立設されており、メインホルダ１１に図１中矢印ａ方向及びｂ方向に移動可能に支持されている。
【００２９】
また、サブホルダ１２は、ガイド軸３７が、メインホルダ１１のガイドスリット３４に移動可能に挿通されるとともに、トップシャーシ２２に形成されたガイドスリット７５に移動可能に挿通されており、トップシャーシ２２に矢印ａ方向及びｂ方向に移動可能にそれぞれ支持されている。
【００３０】
また、サブホルダ１２には、ディスクカートリッジ２が挿入されて押し込まれた際に自動引き込み機構２６を動作させるための作動軸３９が立設されている。
【００３１】
そして、サブホルダ１２は、挿入されたディスクカートリッジ２の挿脱方向の前端側と共に、メインホルダ１１に対して図１中矢印ａ方向に移動して、光磁気ディスク装置内方に移動する。
【００３２】
ホルダ昇降用左スライダ１４は、図１、図４及び図６に示すように、ディスクカートリッジ２の挿脱方向に平行な一方の側面に対向する位置に、図４中矢印ａ方向及びｂ方向に移動可能にベースシャーシ２１に配設されている。ホルダ昇降用左スライダ１４には、ベースシャーシ２１に設けられたガイド軸４０が移動可能に挿通されるガイド溝４１が、ディスクカートリッジ２の挿脱方向と平行に形成されている。
【００３３】
また、ホルダ昇降用左スライダ１４は、メインホルダ１１のガイド軸３１が挿通される昇降用ガイド溝４２が形成されており、メインホルダ１１を図１及び図４中矢印ａ方向及びｂ方向に移動可能に支持している。また、ホルダ昇降用左スライダ１４には、長手方向の一端側に、左連結部材１９に連結される連結ピン４４が一体に形成されている。
【００３４】
ホルダ昇降用右スライダ１３は、ホルダ昇降用左スライダ１４と同様に、ディスクカートリッジ２の挿脱方向に平行な他方の側面に対向する位置に、図１中矢印ａ方向及びｂ方向に移動可能にベースシャーシ２１に配設されている。ホルダ昇降用右スライダ１３には、ベースシャーシ２１に設けられたガイド軸４０が移動可能に挿通されるガイド溝（図示せず）が、ディスクカートリッジ２の挿脱方向と平行に形成されている。
【００３５】
また、ホルダ昇降用右スライダ１３は、メインホルダ１１のガイド軸３１が挿通される昇降用ガイド溝（図示せず）が形成されており、メインホルダ１１を図１中矢印ａ方向及びｂ方向に移動可能に支持している。また、ホルダ昇降用右スライダ１３には、長手方向の一端側に、右連結部材１８に連結される連結ピン４５が一体に形成されている。
【００３６】
第１の連動用スライダ１６は、ディスクカートリッジ２の挿脱方向の前面に対向するベースシャーシ２１の側面の外側に、図１及び図３中矢印ｃ方向及びｄ方向に移動可能に配設されている。第１の連動用スライダ１６は、ベースシャーシ２１に設けられたガイド軸４７が移動可能に挿通されるガイド溝（図示せず）が形成されている。
【００３７】
第１の連動用スライダ１６には、図３及び図５中矢印ｄ方向に付勢する図示しない引っ張りコイルバネ４９の一端が取り付けられるバネ取付け片５０が形成されている。この引っ張りコイルバネ４９は、他端がベースシャーシ２１に掛止されている。また、第１の連動用スライダには、駆動機構２５の後述する三段ギヤ８５に噛合されるラック部５５が、移動方向に平行に形成されている。
【００３８】
第２の連動用スライダ１７は、ディスクカートリッジ２の挿脱方向の前面に対向するベースシャーシ２１の側面の内側に、第１の連動用スライダ１６と平行に図１及び図３中矢印ｃ方向及びｄ方向に移動可能に配設されている。第２の連動用スライダ１７は、ベースシャーシ２１に設けられたガイド軸４８が移動可能に挿通されるガイド溝（図示せず）が形成されている。
【００３９】
第２の連動用スライダ１７には、図３及び図５中矢印ｃ方向に付勢する引っ張りコイルバネ５６の一端が取り付けられるバネ取付け片５７が形成されている。この引っ張りコイルバネ５６は、他端がベースシャーシ２１に掛止されている。
【００４０】
また、第２の連動用スライダ１７には、右連結部材１８及び左連結部材１９に連結される右連結ピン６０及び左連結ピン６１を有する連結片５８，５９が、長手方向の両端にそれぞれ一体に形成されている。
【００４１】
第２の連動用スライダ１７には、図３及び図５中矢印ｃ方向に付勢する引っ張りコイルバネ５６の一端が取り付けられるバネ取付け片５７が形成されている。この引っ張りコイルバネ５６は、他端がベースシャーシ２１に掛止されている。また、第２の連動用スライダ１７には、駆動機構２５の後述する三段ギヤ８５に噛合されるラック部６５が、移動方向に平行に形成されている。
【００４２】
右連結部材１８は、回動中心穴６６を有する略扇状に形成されており、この回動中心穴６６が、ベースシャーシ２１上に立設された回動支軸６７に回動可能に支持されている。右連結部材１８は、ホルダ昇降用右スライダ１３の連結ピン４５が移動可能に連結される第１の長穴６８と、第２の連動用スライダ１７の連結ピン６０が移動可能に連結される第２の長穴６９とを有している。
【００４３】
左連結部材１９は、回動中心穴７１を有する略扇状に形成されており、ベースシャーシ２１上に立設された回動支軸７２に回動可能に支持されている。左連結部材１９は、ホルダ昇降用左スライダ１４の連結ピン４４が移動可能に連結される第１の長穴７３と、第２の連動用スライダ１７の連結ピン６１が移動可能に連結される第２の長穴７４とを有している。
【００４４】
ベースシャーシ２１は、略平板状に形成されており、ホルダ昇降用右スライダ１３及びホルダ昇降用左スライダ１４を移動可能に支持する側面部と、第１及び第２の連動用スライダ１６，１７を移動可能に支持する側面部とを有している。
【００４５】
トップシャーシ２２は、図１及び図２に示すように、略平板状に形成れており、図示しないベースシャーシ２１に対向する位置に配設されている。トップシャーシ２２には、図１に示すように、ディスクカートリッジ２の主面に対向する面に、サブホルダ１２を移動可能に支持するガイドスリット７５が、ディスクカートリッジ２の挿脱方向と平行にそれぞれ設けられている。
【００４６】
また、図示しないが、トップシャーシ２２には、ホルダ昇降用右スライダ１３及びホルダ昇降用左スライダ１４の連結ピン４４，４５が移動可能にそれぞれ挿通されて、ホルダ昇降用右スライダ１３及びホルダ昇降用左スライダ１４の移動をガイドするためのガイドスリットがそれぞれ形成されている。また、トップシャーシ２２には、第２の連動用スライダ１７の右連結ピン６０及び左連結ピン６１が移動可能にそれぞれ挿通されて、第２の連動用スライダ１７の移動をガイドするガイドスリットがそれぞれ形成されている。
【００４７】
駆動機構２５は、図３、図５及び図７に示すように、駆動用モータ８０と、この駆動用モータ８０によって回転される第１の駆動ギヤ８１と、この第１の駆動ギヤ８１によって駆動される第２の駆動ギヤ８２と、この第２の駆動ギヤ８２によって駆動される第３の駆動ギヤ８３と、この第３の駆動ギヤ８３によって駆動される第４の駆動ギヤ８４と、この第４の駆動ギヤ８４によって駆動される三段ギヤ８５とを有している。
【００４８】
駆動用モータ８０は、図３に示すように、ベースシャーシ２１上に設けられており、先端にピニオン８８が設けられた回転軸を有している。駆動用モータ８０は、回転軸の軸方向が、図１中矢印ｃ方向及びｄ方向と略平行に配設されており、ピニオン８８が第１の駆動ギヤ８１に噛合されている。
【００４９】
第１の駆動ギヤ８１は、図３に示すように、ベースシャーシ２１上に立設された回動支軸９０に中央部が回動可能に支持されている。この第１の駆動ギヤ８１は、駆動用モータ８０のピニオン８８によって駆動力が伝達されるとともに第２の駆動ギヤ８２に噛合されたギヤ部９１を有している。
【００５０】
第２の駆動ギヤ８２は、図３に示すように、ベースシャーシ２１上に立設された回動支軸９４に中央部が回動可能に支持されている。この第２の駆動ギヤ８２は、第１の駆動ギヤ８１のギヤ部９１によって駆動力が伝達されるとともに第３の駆動ギヤ８３に噛合されたギヤ部９５を有している。
【００５１】
第３の駆動ギヤ８３は、図３に示すように、ベースシャーシ２１上に立設された回動支軸９８に中央部が回動可能に支持されている。この第３の駆動ギヤ８３は、第２の駆動ギヤ８２のギヤ部９５によって駆動力が伝達される第１のギヤ部９９と、この第１のギヤ部９９の内周側に形成されて第４の駆動ギヤ８４に噛合された第２のギヤ部１００とを有している。
【００５２】
第４の駆動ギヤ８４は、図３に示すように、ベースシャーシ２１上に立設された回動支軸１０２に中央部が回動可能に支持されている。この第４の駆動ギヤ８４は、第３の駆動ギヤ８３の第２のギヤ部１００によって駆動力が伝達されるとともに三段ギヤ８５に噛合されたギヤ部１０３を有している。
【００５３】
三段ギヤ８５は、図３及び図５に示すように、中央部に回動中心穴１０４を有しており、この回動中心穴１０４に、ベースシャーシ２１上に立設された回動支軸１０５が挿通されて図３及び図５中矢印ｇ方向及びｈ方向に回動可能に支持されている。
【００５４】
この三段ギヤ８５には、図７、図８及び図９に示すように、第４の駆動ギヤ８４のギヤ部１０３によって駆動力が伝達される下段ギヤ部１０６と、第１の連動用スライダ１６のラック部５５が噛合される中段ギヤ部１０７と、第２の連動用スライダ１７のラック部６５が噛合される上段ギヤ部１０８とを有している。これら各下段ギヤ部１０６、中段ギヤ部１０７及び上段ギヤ部１０８は、歯先円直径が同一とされてそれぞれ一体に形成されている。
【００５５】
下段ギヤ部１０６は、ベースシャーシ２１に隣接する位置に形成されており、全周に亘って歯先が形成されている。中段ギヤ部１０７は、外周の所定の部分のみに、歯先を有する噛合部１１１が形成されており、第１の連動用スライダ１６のラック部５５が噛合されずに摺接する摺接部１１２が形成されている。上段ギヤ部１０８は、外周の所定の部分のみに、歯先を有する噛合部１１４が形成されており、第２の連動用スライダ１７のラック部６５が噛合されずに摺接する摺接部１１５が形成されている。
【００５６】
三段ギヤ８５には、図８及び図９に示すように、中段ギヤ部１０７の歯先が形成された噛合部１１１と、上段ギヤ部１０８の歯先が形成された噛合部１１４とが、外周上の位置をずらして、回動中心穴１０４を挟んで対向する位置にそれぞれ形成されている。
【００５７】
したがって、三段ギヤ８５は、下段ギヤ部１０６が第４の駆動ギヤ８４に常に噛合されており、中段ギヤ部１０７が第１の連動用スライダ１６のラック部５５に噛合される状態と、上段ギヤ部１０８が第２の連動用スライダ１７のラック部６５に噛合される状態とが回転角に伴って順次切り替えられる。
【００５８】
そして、この三段ギヤ８５の中段ギヤ部１０７には、第１の連動用スライダ１６のラック部５５が、引っ張りコイルバネ４９の付勢力により当接されている。また、三段ギヤ８５の上段ギヤ部１０８には、第２の連動用スライダ１７のラック部６５が、引っ張りコイルバネ５６の付勢力により当接されている。
【００５９】
以上のように構成された駆動機構２５について、三段ギヤ８５が回転駆動することにより、第１の連動用スライダ１６及び第２の連動用スライダ１７を移動する動作を図面を参照して説明する。
【００６０】
駆動機構２５は、図７、図８及び図９に示すように、メインホルダ１１及びサブホルダ１２にディスクカートリッジ２が装着された際に、三段ギヤ８５の下段ギヤ部１０６が、第４の駆動ギヤ８４から駆動力を伝達されることによって、図７中矢印ｇ方向に回転駆動する。三段ギヤ８５は、中段ギヤ部１０７の噛合部１１１が第１の連動用スライダ１６のラック部５５に噛合されることによって、第１の連動用スライダ１６が図８中矢印ｃ方向に移動されるとともに、図９に示すように上段ギヤ部１０８の摺接部１１５に第２の連動用スライダ１７のラック部６５が摺接することにより第２の連動用スライダ１７が移動させることなく停止状態が保持される。
【００６１】
そして、駆動機構２５は、三段ギヤ８５が所定の回転角だけ矢印ｇ方向に回転されて、第１の連動用スライダ１６が所定の移動量だけ移動されることによって、挿入されたディスクカートリッジ２を保持するサブホルダ１２がメインホルダ１１に対して矢印ａ方向に移動されて、ディスクカートリッジ２が光磁気ディスク装置内方に引き込まれる。
【００６２】
駆動機構２５は、三段ギヤ８５が、図７、図８及び図９に示した状態から更に図１０中矢印ｇ方向に回転することによって、図１２に示すように上段ギヤ部１０８の噛合部１１４に第２の連動用スライダ１７のラック部６５が噛合されて、第２の連動用スライダ１７が図１２中矢印ｃ方向に移動される。また、駆動機構２５は、三段ギヤ８５が図７、図８及び図９に示した状態から更に矢印ｇ方向に回転した際に、図１１に示すように中段ギヤ部１０７の摺接部１１２に第１の連動用スライダ１６のラック部５５が摺接されることにより、第１の連動用スライダ１６が移動された位置が保持される。
【００６３】
駆動機構２５は、第２の連動用スライダ１７が矢印ｃ方向に移動されることによって、右連結部材１８及び左連結部材１９を介して、ホルダ昇降用右スライダ１３が矢印ａ方向に移動されるとともにホルダ昇降用左スライダ１４が矢印ｂ方向に移動されて、メインホルダ１１が矢印ｅ方向に移動される。メインホルダ１１は、矢印ｅ方向に移動されることによって、メインホルダ１１に保持されたディスクカートリッジ２がカートリッジ装着位置に装着されて、図示しないディスク回転駆動機構のディスクテーブル上にディスクカートリッジ２内の光磁気ディスクが載置される。
【００６４】
また、駆動機構２５は、三段ギヤ８５が矢印ｈ方向に回転することによって、上段ギヤ部１０８が第２の連動用スライダ１７のラック部６５が矢印ｄ方向に移動されて、右連結部材１８及び左連結部材１９を介して、ホルダ昇降用右スライダ１３が矢印ｂ方向に移動するとともにホルダ昇降用左スライダ１４がａ方向に移動されて、メインホルダ１１が矢印ｆ方向に移動される。そして、駆動機構２５は、三段ギヤ８５が更に矢印ｈ方向に回転駆動することによって、中段ギヤ部１０７の噛合部１１１に噛合された第１の連動用スライダ１６のラック部５５が移動されて、メインホルダ１１に対してサブホルダ１２が矢印ｂ方向に移動されて、ディスクカートリッジ２がカートリッジ挿脱位置に移送される。
【００６５】
上述したように、ローディング機構部１によれば、メインホルダ１１及びサブホルダ１２の一連動作のローディング動作及びアンローディング動作を三段ギヤ８５の回転動作のみによって行うことができる。
【００６６】
ローディング機構部１が備える自動引き込み機構２６は、図１３及び図１４に示すように、メインホルダ１１及びサブホルダ１２に対して挿入されたディスクカートリッジ２に係合するロックスライダ１２５と、このロックスライダ１２５を移動する回動レバー１２６と、ロックスライダ１２５を図１３中矢印ｃ方向に移動するように付勢する引っ張りコイルバネ１２７と、回動レバー１２６を図１３中矢印ｋ方向に回動するように付勢する引っ張りコイルバネ１２８とを備えている。
【００６７】
ロックスライダ１２５は、図１４に示すように、略矩形板状に形成されており、主面にガイド穴１３０，１３０がそれぞれ設けられている。サブホルダ１２の主面には、ロックスライダ１２５を、ディスクカートリッジ２の挿脱方向に直交する方向である図１４中矢印ｃ方向及びｄ方向に移動可能に支持するガイド軸１３１，１３１がそれぞれ設けられており、これら各ガイド軸１３１，１３１がロックスライダ１２５のガイド穴１３０，１３０に移動可能に挿通されている。
【００６８】
ロックスライダ１２５には、ディスクカートリッジ２の一側面に臨む移動方向の一端部に、ディスクカートリッジ２に係合する係合片１３３が、略Ｌ字状に折曲されて一体に設けられている。この係合片１３３の先端部には、ディスクカートリッジ２のカートリッジ本体の側面に凹設された係合溝１３５に係合する係合爪１３４が突出して設けられている。
【００６９】
また、ロックスライダ１２５の主面には、回動レバー１２６に対向する面上に、回動レバー１２６の動作と連動するための連動軸１３７が立設されている。
【００７０】
また、ロックスライダ１２５には、移動方向の他端部に、図１４中矢印ｄ方向に付勢する引っ張りコイルバネ１２７の一端が取り付けられるバネ取付け片１３８が一体に設けられている。引っ張りコイルバネ１２７は、他端が、サブホルダ１２に設けられたバネ取付け片１３９に取り付けられている。
【００７１】
回動レバー１２６は、図１４に示すように、トップシャーシ２２に立設された回動支軸１４１が回動可能に挿通される回動中心穴１４２が設けられており、回動支軸１４１を介して図１４中矢印ｊ方向及びｋ方向に回動可能に配設されている。回動レバー１２６には、一端に、この回動レバー１２６を時計回りである図１４中矢印ｋ方向に回転するように付勢する引っ張りコイルバネ１２８の一端が取り付けられるバネ取付け片１４３が一体に設けられている。引っ張りコイルバネ１２８は、他端がトップシャーシ２２に掛止されている。
【００７２】
回動レバー１２６の主面には、図１４に示すように、主面に、ロックスライダ１２５を連動させるための第１の開口１４６と、サブホルダ１２と連動するための略三角形状の第２の開口１４７とがそれぞれ設けられている。回動レバー１２６の第１の開口１４６には、図１４に示すように、ロックスライダ１２５の連動軸１３７が移動可能に挿通されており、連動軸１３７の位置を規制するための位置規制縁部１４８が形成されている。第２の開口１４７は、サブホルダ１２上に立設された作動軸３９が移動可能に挿通されており、作動軸３９が係合する第１、第２及び第３のコーナ部１５１，１５３，１５３をそれぞれ有している。
【００７３】
ロックスライダ１２５は、引っ張りコイルバネ１２７の付勢力に抗して、連動軸１３７が第１の開口１４６の位置規制縁部１４８に係合されている。
【００７４】
以上のように構成された自動引き込み機構２６について、メインホルダ１１及びサブホルダ１２に挿入されたディスクカートリッジ２を装置内方に引き込む動作を図面を参照して説明する。
【００７５】
まず、自動引き込み機構２６は、図１３に示すように、メインホルダ１１及びサブホルダ１２に対してディスクカートリッジ２が挿入されていない初期状態で、ロックスライダ１２５が図１３中矢印ｃ方向に移動されており、ロックスライダ１２５の係合爪１３４がディスクカートリッジ２の係合溝１３５から退避された位置にある。
【００７６】
自動引き込み機構２６は、図１４に示すように、ディスクカートリッジ２が挿入されたときに、ディスクカートリッジ２がサブホルダ１２の当接片３５に当接されて、当接片３５を介してサブホルダ１２が図１４中矢印ａ方向に移動される。サブホルダ１２は、矢印ａ方向に移動することによって、回動レバー１２６の第２の開口１４７の第１のコーナ部１５１に係合されている作動軸３９が開口縁に沿って第２のコーナ部１５２に移動することにより、回動レバー１２６が図１４中矢印ｊ方向に回動されて、サブホルダ１２の作動軸３９が第２の開口１４７の第２のコーナ部１５２に移動する。
【００７７】
回動レバー１２６は、矢印ｊ方向に回動されることによって、ロックスライダ１２５の連動軸１３７が第１の開口部１４６の位置規制縁部１４８に沿って移動して、連動軸１３７が位置規制縁部１４８から外れるため、ロックスライダ１２５が引っ張りコイルバネ１２７の付勢力により図１４中矢印ｄ方向に移動される。
【００７８】
ロックスライダ１２５は、矢印ｄ方向に移動されることにより、ディスクカートリッジ２の係合溝１３５に係合爪１３４が係合される。ディスクカートリッジ２は、ロックスライダ１２５の係合爪１３４が係合されることにより、サブホルダ１２に保持されて、サブホルダ１２と一体的に移動可能とされる。
【００７９】
そして、自動引き込み機構２６は、ロックスライダ１２５の係合爪１３４がディスクカートリッジ２に係合されることによって、ロックスライダ１２５により図示しない検出スイッチが押し込み操作されて、駆動機構２５が駆動される。自動引き込み機構２６は、駆動機構２５が駆動されることにより、第１の連動用スライダ１６が矢印ｃ方向に移動されて、回動レバー１２６が矢印ｊ方向に回動される。回動レバー１２６は、図１４及び図１５に示すように、矢印ｊ方向に回動されることによって、サブホルダ１２の作動軸３９が第２の開口１４７の第２のコーナ部１５２と第３のコーナ部１５３との間に位置する開口縁に押されて第３のコーナ部１５３に移動されて、ディスクカートリッジ２を保持するサブホルダ１２が矢印ａ方向に移動されて装置内方に引き込まれる。
【００８０】
また、自動引き込み機構２６は、装置内方に引き込まれたディスクカートリッジ２を排出する際、駆動機構２５が回転駆動することによって、回動レバー１２６が矢印ｋ方向に回動される。自動引き込み機構２６は、図１６に示すように、回動レバー１２６が矢印ｋ方向に回動されることによって、回動レバー１２６の第２の開口１４７の第３のコーナ部１５３と第１のコーナ部１５１との間に位置する開口縁がサブホル１２ダの作動軸３９を押して、サブホルダ１２が矢印ｂ方向に移動されて、サブホルダ１２が初期位置である排出位置まで移動される。
【００８１】
また、回動レバー１２６は、矢印ｋ方向に回動されることによって、第１の開口１４６の開口縁によってロックスライダ１２５の連動軸１３７が押されて、ロックスライダ１２５が矢印ｃ方向に移動される。したがって、サブホルダ１２は、ロックスライダ１２５の係合爪１３４とディスクカートリッジ２との係合状態が解除されて、ディスクカートリッジ２の保持を解除する。このため、ディスクカートリッジ２は、ロックスライダ１２５の係合爪１３４による抗力を受けることなく、メインホルダ１１及びサブホルダ１２から容易に取り出される。
【００８２】
以上のように構成されたローディング機構部１が備える自動引き込み機構２６によれば、ローディング動作時にディスクカートリッジ２を確実に保持することが可能とされるとともに、イジェクト動作時にディスクカートリッジ２の保持を解除する。
【００８３】
また、この自動引き込み機構２６によれば、ディスクカートリッジ２がメインホルダ１１に対して誤った向きで挿入された場合であっても、誤った向きに挿入されたディスクカートリッジ２にロックスライダ１２５が係合することが不能とされるため、ディスクカートリッジ２を破損することを確実に防止することができる。
【００８４】
そして、この自動引き込み機構２６によれば、ディスクカートリッジ２を排出操作するときに、ロックスライダ１２５の係合爪１３４とディスクカートリッジ２との係合状態が解除されるため、ロックスライダ１２５による抗力を受けることなくディスクカートリッジ２を容易に引き出し操作することが可能とされるため、メインホルダ１１及びサブホルダ１２に対するディスクカートリッジ２の挿脱動作の操作性を向上することができる。
【００８５】
以上のように構成されたローディング機構部１について、ディスクカートリッジ２をカートリッジ装着位置に装着するローディング動作を図面を参照して説明する。
【００８６】
まず、ローディング機構部１は、メインホルダ１１内にディスクカートリッジ２が挿入されることに伴って、サブホルダ１２にディスクカートリッジ２の前面が当接して、サブホルダ１２を矢印ａ方向に移動させる。
【００８７】
自動引き込み機構２６は、ディスクカートリッジ２の係合溝１３５に、ロックスライダ１２５の係合爪１３４が係合されて、このロックスライダ１２５によってディスクカートリッジ２がサブホルダ１２に保持される。
【００８８】
つぎに、ローディング機構部１は、ディスクカートリッジ２の再生動作又は記録動作を行う際、三段ギヤ８５が矢印ｇ方向に回転することによって、中段ギヤ部１０７の噛合部１１１に係合されているラック部５５を矢印ｃ方向に移動させることによって、第１の連動用スライダ１６を矢印ｃ方向に移動させる。第１の連動用スライダ１６は、矢印ｃ方向に移動されることにより、サブホルダ１２がディスクカートリッジ２を保持した状態で、メインホルダ１１に対してディスクカートリッジ２の主面に平行な水平方向である矢印ａ方向に移動されて、ディスクカートリッジ２が装置内方に引き込まれる。
【００８９】
ディスクカートリッジ２が装置内方に引き込まれた後、第２の連動用スライダ１７は、三段ギヤ８５が矢印ｇ方向に更に回転することにより、上段ギヤ部１０８の噛合部１１４にラック部６５が噛合されて、矢印ｃ方向に所定の移動量だけ移動される。第２の連動用スライダ１７は、矢印ｃ方向に移動されることによって、右連結部材１８及び左連結部材１９を介して連結されているホルダ昇降用右スライダ１３が矢印ａ方向に移動されるとともにホルダ昇降用左スライダ１４が矢印ｂ方向に移動されて、ディスクカートリッジ２を保持するメインホルダ１１が図４及び図６中矢印ｅ方向に移動されることによって、ディスクカートリッジ２を保持するメインホルダ１１がカートリッジ装着位置に移動される。
【００９０】
また、第２の連動用スライダ１７は、ホルダ昇降用右スライダ１３に連動されている図示しない記録再生機構部の磁気ヘッド部が、カートリッジ装着位置に装着されたディスクカートリッジ２から退避された退避位置からディスクカートリッジ２に対向する第１の位置に移動されて、光磁気ディスクの再生動作の準備が完了する。
【００９１】
第２の連動用スライダ１７は、三段ギヤ８５の回転に伴って更に矢印ｃ方向に移動されることによって、ホルダ昇降用右スライダ１３に連動されている図示しない記録再生機構部の磁気ヘッド部が、第１の位置からディスクカートリッジ２内の光磁気ディスクに近接する第２の位置に移動されて、光磁気ディスクに対する記録動作の準備が完了する。
【００９２】
また、ローディング機構部１は、カートリッジ装着位置に装着されたディスクカートリッジ２をアンローディングする際、駆動用モータ８０が逆回転することによって、三段ギヤ８５が図１０、図１１及び図１２中矢印ｈ方向に回転駆動される。ローディング機構部１は、三段ギヤ８５が矢印ｈ方向に回転駆動されることによって、第２の連動用スライダ１７が図１２中矢印ｄ方向に移動されて、この第２の連動用スライダ１７に連動されるホルダ昇降用右スライダ１３を矢印ｂ方向に移動するとともにホルダ昇降用左スライダ１４を矢印ａ方向に移動させて、メインホルダ１１が、カートリッジ装着位置から図４及び図６矢印ｆ方向に移動される。
【００９３】
また、ローディング機構部１は、三段ギヤ８５を介して第１の連動用スライダ１６が図１１中矢印ｄ方向に移動されることによって、メインホルダ１１に対してサブホルダ１２が矢印ｂ方向に移動されて、ディスクカートリッジ２がカートリッジ挿脱位置に移動されて排出される。
【００９４】
上述したように、ローディング機構部１は、第１及び第２の連動用スライダ１６，１７の作動タイミングを切り替えて移動する三段ギヤ８５を有する駆動駆動２５を備えることによって、部品点数を削減することが可能とされて、装置全体を小型化することができる。そして、このローディング機構部１によれば、構成が簡素化されるため、動作信頼性を向上することができる。
【００９５】
なお、本発明に係るローディング機構部は、光磁気ディスクが収納されたディスクカートリッジに対して情報の記録再生を行う光磁気ディスク装置として構成されたが、例えば光ディスクや固体記録素子を有する他の記録媒体カートリッジに適用されてもよいことは勿論である。
【００９６】
【発明の効果】
上述したように本発明に係るローディング装置によれば、装置全体を小型化するとともに動作信頼性を向上することができる。
【図面の簡単な説明】
【図１】本発明に係る光磁気ディスク装置が備えるローディング機構部を示す平面図である。
【図２】上記ローディング機構部が備えるメインホルダ及びサブホルダを示す側面図である。
【図３】上記ローディング機構部においてメインホルダ及びサブホルダがカートリッジ挿脱位置に位置する状態を示す平面図である。
【図４】上記ローディング機構部においてメインホルダ及びサブホルダがカートリッジ挿脱位置に位置する状態を示す左側面図である。
【図５】上記ローディング機構部においてメインホルダ及びサブホルダがカートリッジ装着位置に位置する状態を示す平面図である。
【図６】上記ローディング機構部においてメインホルダ及びサブホルダがカートリッジ装着位置に位置する状態を示す左側面図である。
【図７】上記ローディング機構部が備える駆動機構を構成する三段ギヤの下段ギヤ部を示す平面図である。
【図８】上記三段ギヤの中段ギヤ部を示す平面図である。
【図９】上記三段ギヤの上段ギヤ部を示す平面図である。
【図１０】上記三段ギヤの下段ギヤ部を示す平面図である。
【図１１】上記三段ギヤの中段ギヤ部を示す平面図である。
【図１２】上記三段ギヤの上段ギヤ部を示す平面図である。
【図１３】上記ローディング機構部が備える自動引き込み機構を示す平面図である。
【図１４】上記自動引き込み機構がディスクカートリッジを保持した状態を示す平面図である。
【図１５】上記自動引き込み機構がディスクカートリッジを引き込んだ状態を示す平面図である。
【図１６】上記自動引き込み機構がディスクカートリッジを排出する状態を示す平面図である。
【符号の説明】
１  ローディング機構部、２  ディスクカートリッジ、１１  メインホルダ、１２サブホルダ、１３  ホルダ昇降用右スライダ、１４  ホルダ昇降用左スライダ、１６  第１の連動用スライダ、１７  第２の連動用スライダ、１８  右連結部材、１９  左連結部材、２５  駆動機構、２６  自動引き込み機構、５５  ラック部、６５  ラック部、８０  駆動用モータ、８５  三段ギヤ、１０６  下段ギヤ部、１０７  中段ギヤ部、１０８  上段ギヤ部
【図１】
0004058837.tif 000002
【図２】
0004058837.tif 000003
【図３】
0004058837.tif 000004
【図４】
0004058837.tif 000005
【図５】
0004058837.tif 000006
【図６】
0004058837.tif 000007
【図７】
0004058837.tif 000008
【図８】
0004058837.tif 000009
【図９】
0004058837.tif 000010
【図１０】
0004058837.tif 000011
【図１１】
0004058837.tif 000012
【図１２】
0004058837.tif 000013
【図１３】
0004058837.tif 000014
【図１４】
0004058837.tif 000015
【図１５】
0004058837.tif 000016
【図１６】
0004058837.tif 000017